(57)【特許請求の範囲】
【請求項１】
固定筒と
前記固定筒と異なる表面処理を施されクリック受け部を有するクリック受け筒と
前記固定筒の外周を回転摺動可能であり三脚座と前記クリック受け部に対して挿脱可能なクリック手段とを有する三脚座回転筒と
を有し、前記クリック受け筒は前記固定筒に固定されており、
前記三脚座回転筒は、前記クリック受け筒を覆いながら前記固定筒に接するよう配置されることを特徴としたレンズ鏡筒。
【請求項２】
前記表面処理は無電解ニッケル膜の付加処理であることを特徴とした請求項１に記載のレンズ鏡筒。
【請求項３】
前記クリック受け筒は長穴部に締結部材が挿入されることで前記固定筒に固定されていることを特徴とした請求項１乃至請求項２のいずれかに記載のレンズ鏡筒。
【請求項４】
前記クリック受け筒は光軸方向に前記締結部材を挿入することで前記固定筒と締結されることを特徴とした請求項３に記載のレンズ鏡筒。
【請求項５】
前記クリック受け筒は光軸と鉛直方向に前記締結部材を挿入することで前記固定筒と締結されることを特徴とした請求項３に記載のレンズ鏡筒。
【請求項６】
前記クリック手段は球状部材と前記球状部材を前記レンズ鏡筒の光軸と鉛直の方向へと付勢する付勢手段とを有することを特徴とした請求項１乃至請求項５のいずれかに記載のレンズ鏡筒。
【請求項７】
前記クリック受け筒は前記レンズ鏡筒の物体側に面取り部を有することを特徴とした請求項１乃至請求項６のいずれかに記載のレンズ鏡筒。
【発明の詳細な説明】
【技術分野】
【０００１】
本発明は、回転摺動する三脚座を有するレンズ鏡筒に関する。
【背景技術】
【０００２】
従来より、望遠系の交換レンズにはカメラボディとは別に三脚取付用の三脚座が付属されているものが多くある。
【０００３】
三脚座はレンズ鏡筒の外観に光軸を中心とした回転可能なリングから突出する形で構成されており、該リングには回転を固定させるためのロック機構が設けられ、任意の位置で固定をし、撮影が行われる。
【０００４】
また、該リングとレンズ鏡筒とにはクリック感を感じさせる機構が備わっており、指標を確認することなく所定の位置で固定をすることができる。
【０００５】
リングから突出する形で三脚座が設けられたレンズ鏡筒として、例えば特許文献１が挙げられる。特許文献１に開示された発明によれば、レンズ鏡筒の外周に相対回動自在に、三脚取付部を有する三脚取付環を嵌めた三脚座において、クリック機構およびロック機構を有する簡単な構成の三脚座を得ることができる、としている。
【先行技術文献】
【特許文献】
【０００６】
【特許文献１】実開平４−１３０９１２号公報
【発明の概要】
【発明が解決しようとする課題】
【０００７】
しかし特許文献１に記載の発明は、互いに金属材質である固定筒と三脚取付環とが特別に処置されることなく直接摺動するため、好適な摺動感が得られなかった。また、クリック感を生じさせるクリック部が挿脱するたびに摩耗し、削れていくため、摺動回数が増えるにつれてクリック感が悪化していく問題があった。また固定筒と三脚取付環との係合に調整機構が存在しないため、製造工程で角度バラツキが生じた場合、後から調整を行うことが不可能だった。
【０００８】
上記課題から本発明は、表面処理の施されたクリック受け筒を固定筒に取り付けることで好適な摺動感を獲得し、更に固定筒と三脚取付筒との係合を調整可能なレンズ鏡筒を提供することを目的とする。
【課題を解決するための手段】
【０００９】
請求項１に示す発明は、固定筒と前記固定筒と異なる表面処理を施されクリック受け部を有するクリック受け筒と前記固定筒の外周を回転摺動可能であり三脚座と前記クリック受け部に対して挿脱可能なクリック手段とを有する三脚座回転筒とを有し、前記クリック受け筒は前記固定筒に固定されており、前記三脚座回転筒は、前記クリック受け筒を覆いながら前記固定筒に接するように配置されることを特徴としたレンズ鏡筒である。
【００１０】
請求項２に示す発明は、前記表面処理は無電解ニッケル膜の付加処理であることを特徴とした請求項１に記載のレンズ鏡筒である。
【００１１】
請求項３に示す発明は、前記クリック受け筒は長穴部に締結部材が挿入されることで前記固定筒に固定されていることを特徴とした請求項１乃至請求項２のいずれかに記載のレンズ鏡筒である。
【００１２】
請求項４に示す発明は、前記クリック受け筒は光軸方向に前記締結部材を挿入することで前記固定筒と締結されることを特徴とした請求項３に記載のレンズ鏡筒である。
【００１３】
請求項５に示す発明は、前記クリック受け筒は光軸と鉛直方向に前記締結部材を挿入することで前記固定筒と締結されることを特徴とした請求項３に記載のレンズ鏡筒である。
【００１４】
請求項６に示す発明は、前記クリック手段は球状部材と前記球状部材を前記レンズ鏡筒の光軸と鉛直の方向へと付勢する付勢手段とを有することを特徴とした請求項１乃至請求項５のいずれかに記載のレンズ鏡筒である。
【００１５】
請求項７に示す発明は、前記クリック受け筒は前記レンズ鏡筒の物体側に面取り部を有することを特徴とした請求項１乃至請求項６のいずれかに記載のレンズ鏡筒。
【００１６】
本発明によれば、表面処理の施されたクリック受け筒を固定筒に取り付けることで好適な摺動感を獲得し、更に固定筒と三脚取付筒とを調整可能なレンズ鏡筒を提供することができる。
【図面の簡単な説明】
【００１７】
【図１】本発明の一実施例を示したレンズ鏡筒における主要な構成部材の展開斜視図である。
【図２】本発明の一実施例を示したレンズ鏡筒における主要な構成部材の断面図である。
【図３】クリック受け筒を物体側から見た平面図である。
【図４】クリック受け筒の断面図である。
【図５】異なる形状のクリック受け筒の斜視図である。
【発明を実施するための形態】
【００１８】
以下、添付の図面に従って、本発明を実施するための最良の形態について説明する。なお、この実施の形態により本発明が限定されるものではない。
【００１９】
図１は本発明の一実施例を示したレンズ鏡筒における主要な構成部材の展開斜視図である。また、図２は本発明の一実施例を示したレンズ鏡筒における主要な構成部材の断面図である。以下、図１、図２を使用してレンズ鏡筒の部材について説明する。ここで、レンズ鏡筒は撮像装置に交換可能であり、その中心に光軸を持つ。また本明細書ではマウント部の存在する側を撮像装置側、その反対側を物体側と呼称することとする。
【００２０】
１０はレンズ鏡筒における固定筒であり、内部には不図示の光学素子等を備えている。
【００２１】
クリック受け筒２０は、表面処理を施された円筒部材であり、その外周上に等間隔に配置されたクリック受け部２４を４箇所備え、また、内周部に締結用長穴２２を３箇所備えている。また、クリック受け筒２０は締結用長穴２２に締結ビス等である締結部材２６が挿入され、固定筒１０に固定されている。
【００２２】
三脚取付筒３０はレンズ鏡筒の光軸を中心に相対回動可能な円筒部材である。ロック機構３２は三脚取付筒の摺動状態を切り替えるために設けられた部材であり、締め込みによって三脚取付筒３０を摺動不可状態で固定する。クリックボール３４は付勢バネ３６によって光軸と鉛直の方向に付勢されることで常にクリック受け筒２０と点接触しており、またクリック受け筒２０のクリック受け部２４と挿脱することでクリック感を生み出すクリック機構を形成している。また三脚取付筒３０は、固定筒１０に固定されたクリック受け筒２０を撮像装置側から覆いかぶせるようにして、固定筒１０と着接している。
【００２３】
後部部材４０はマウント部４２を有する部材であり、三脚取付筒３０と着接し、不図示の締結部材によって固定筒１０に固定されている。なお、図２において後部部材４０はその一部を省略されて描写されている。
【００２４】
図３はクリック受け筒２０を物体側から見た平面図である。以下、図３を用いてクリック受け筒２０を設けることによる効果について説明する。
【００２５】
クリック受け筒２０はその外周を三脚取付筒３０のクリックボール３４が摺動するため、三脚取付筒３０の摺動感の根本となる部材である。従来のレンズ鏡筒ではクリックボールは付勢バネによって光軸に鉛直な方向へ付勢されながら固定筒に直接摺動しており、その両者がアルミ、マグネシウム、ステンレス等の金属材質であることから、摺動感に問題があった。
【００２６】
出願人は鋭意研究の末、無電解ニッケルメッキをクリックボール３４が摺動する部位に施すことで、好適な摺動感を得られることを発見した。しかし無電解ニッケルメッキの付加は硬度を保ちつつ膜厚を安定させることが困難なため、固定筒のようなレンズの位置精度に関わる高い寸法精度が要求される部材に対して行うのは不適切である。また、無電解ニッケルメッキは素材をメッキ液に浸漬することで付加されるので、所定の部分のみを表面処理することが困難である。従って、本出願では固定筒１０全体に表面処理を施すのではなく、新たにクリック受け筒２０を設け、クリック受け筒２０のみに表面処理を施すこととした。なお、無電解ニッケルメッキの付加方法については公知の技術であるため、詳細な説明は省略する。
【００２７】
このように無電解ニッケルメッキによる表面処理を行うことで三脚取付筒３０の摺動性を向上させることができる。また表面硬度が向上するため、クリックボール３４の挿脱による摩耗を原因とする、クリック受け部２４の削れを抑制することができる。
【００２８】
また、クリック受け筒２０を設けることで、表面処理を行う部材を小型化し、処理難度を低下させることができる。同時に、表面処理を行う面積が減少するため、表面処理に必要なコストを低減することができる。また、クリック受け筒は、同径で形状の異なる固定筒を持つ他の種類のレンズ鏡筒にも同様に使用すること出来る。つまり、異なるレンズ鏡筒同士の共通部材とできるので、製造コストを低減することができる。
【００２９】
図３で示されるようにクリック受け筒２０は内周部に締結用長穴２２を３箇所備えている。締結用長穴２２は、クリック受け筒２０を固定筒１０に固定するための締結部材２６について規制するために設けられている。このような長穴の規制部を用いることで、固定筒１０と三脚取付筒３０の角度方向の製造バラツキを調整することが可能となる。
【００３０】
例えば固定筒１０と三脚取付筒３０とにそれぞれ指標を設け、所定のクリック受け部２４にクリックボール３４が挿入されていれば互いの指標同士が合致するように調整し、締結部材２６で固定する工程を考える。もし固定筒１０に直接クリック受け部２４を設けていれば、指標が製造エラーによりずれていた場合、部材製造後に修正することができず、固定筒１０もしくは三脚取付筒３０を同部材と交換しなければならない。
【００３１】
しかし締結用長穴２２の設けられたクリック受け筒２０が存在すると、規制範囲内であれば、締結部材２６を緩め、角度方向の微調整をし、再度締結をすることで部材製造後の調整が可能となる。
【００３２】
図４はクリック受け筒２０の断面図である。クリック受け筒２０は物体側に内周部のエッジを落とす形で面取り部２８を持つ。このような構造にすることで、クリック受け筒２０を固定筒１０へ撮像装置側から嵌装させる組み立て工程を容易なものとしている。
【００３３】
本実施例ではクリック受け筒の形状を図３、図４のようにしたが、異なる形状としてもよい。図５は異なる形状のクリック受け筒を示した斜視図である。
【００３４】
クリック受け筒５０は、表面処理を施された円筒部材であり、その外周上に等間隔に配置されたクリック受け部５４を４箇所備え、また、外周上に締結用長穴５２を４箇所備えている。また、クリック受け筒５０は締結用長穴５２に締結部材が挿入され、固定筒に固定される
【００３５】
また、締結用長穴５２は長穴形状であり、クリック受け筒２０と同様に部品製造後の調整が可能である。
【００３６】
クリック受け筒５０は、締結部材を外周上から光軸に鉛直な方向に向かって締結することで固定筒に固定されている。このような構成はクリック受け筒２０と比べ簡易な構造となることから、製造難度が下がり、加工コストを低減することができる。
【００３７】
ただしクリック受け筒５０は外周上に円形の穴を穿つ必要があるので、強度を増すためにクリック筒２０と比べ筒の光軸方向の全長を増大させる必要がある。また、クリック受け部の円周上をクリックボールが摺動することから、光軸方向においてクリック受け部と締結用長穴とは重ならないよう配置される必要がある。実施者はこのような特徴から、必要とされる形態を選択し実施すればよい。
【００３８】
即ち本発明は、表面処理の施されたクリック受け筒を固定筒に取り付けることで好適な摺動感を獲得し、更に固定筒と三脚取付筒との係合を調整可能なレンズ鏡筒を提供するという目的を、特に固定筒１０と前記固定筒１０と異なる表面処理を施されクリック受け部２４を有するクリック受け筒２０と前記レンズ鏡筒の外周を回転摺動可能であり三脚座と前記クリック受け部２４に対して挿脱可能なクリック手段とを有する三脚座回転筒３０とを有し、前記クリック受け筒２０は前記固定筒１０に固定されているという構成により実現した。
【符号の説明】
【００３９】
１０      固定筒
２０      クリック受け筒
２２      締結用長穴
２４      クリック受け部
２６      締結部材
２８      面取り部
３０      三脚取付筒
３２      ロック機構
３４      クリックボール
３６      付勢バネ
４０      後部部材
４２      マウント部
５０      クリック受け筒
５２      締結用長穴
５４      クリック受け部
【図１】
0006711097.tif 000002
【図２】
0006711097.tif 000003
【図３】
0006711097.tif 000004
【図４】
0006711097.tif 000005
【図５】
0006711097.tif 000006